(57)【要約】      （修正有）【課題】ブローチとして使用可能なシュシュを提供する。【解決手段】ブローチ本体３をシュシュ本体１のドーナツ状の中心にあたる空白部にブローチピン本体が重なる様にセットしてブローチピン本体で衣服やカバン・バックなどに止める。ゴム部２の伸縮を利用するとシュシュ本体１はブローチ本体３から着脱自在となる。あらかじめブローチ本体３がブローチピン本体によって衣服やカバン・バックなどに固定されている場合は、ブローチ本体３にシュシュ本体のゴム部２の伸縮を利用しひっかける形で着脱可能である。低コストかつ簡易な構造で機能性のある使用方法である。シュシュ本体は単体の場合には髪を束ねるなど以外にもブレスレットやアームバンドとしても身につけられるが、ブローチ本体３と重ね合わせた状態では、よりゴージャスなアクセサリーとして使用可能となる。【選択図】図１
2011019854.tif 000002
【特許請求の範囲】
【請求項１】
基部と、前記基部に一体に接続されたピンと、前記基部に接続された飾り本体とを備えているものと、輪の状態のゴムを装飾したシュシュ本体を備えている装飾具
【請求項２】
請求項１のピンに接続された飾りに対して、輪の状態であるゴムの長さについては最短でも、伸縮により取り外すことが可能な長さ、又は長い場合はゴムを２重３重と巻いて着脱可能な範囲とする装身具。
【発明の詳細な説明】
【技術分野】
【０００１】
本発明は、装飾具に関する。
特にシュシュとブローチのいずれにも使用可能な装飾具に関する。
【０００２】
髪を束ねるのに使用されるドーナツ状のゴムに装飾を施したものをシュシュ(フランス語でｃｈｏｕｃｈｏｕ)という。
【背景技術】
【０００３】
シュシュをかばんの中に入れておくと他の荷物にまぎれ  すぐに取り出せないことがある。
【０００４】
仮にシュシュが他の用途に使用可能であれば、より広く利用され、シュシュの美的価値が大いに活用されることが望まれる。
【発明の概要】
【発明が解決しようとする課題】
【０００５】
本発明の目的は他の用途、特にブローチとして使用可能なシュシュを提供することにある。
【０００６】
本発明の他の目的は、ブローチとして使用可能なシュシュであって、その取扱いが楽なものを提供することにある。
【０００７】
本発明の更に他の目的は、ブローチとして使用可能なシュシュであって、その美的効果をより大きくすることができるシュシュを提供することにある。
【課題を解決するための手段】
【０００８】
本発明の装飾具は、基部と、前記基部に一体の接続されたピンと、前記基部に接続された飾り本体とを備えているものと、輪の状態のゴムを装飾したシュシュ本体を備えている。
【０００９】
又、ピンに接続された飾りに対して、輪の状態であるゴムの長さについては最短でも、伸縮により取り外すことが可能な長さ、又は長い場合はゴムを２重３重と巻いて着脱可能な範囲とする。
【発明の効果】
【００１０】
本発明により、ブローチとして使用可能で、機能性や利便性を兼ねたシュシュが提供される。
【００１１】
また、本発明により、ブローチとして使用可能であり、且つその取扱いが楽なシュシュが提供される。
【００１２】
また、本発明により、ブローチとして使用可能であり、且つその美的効果をより大きくすることができるシュシュが提供される。
【００１３】
また、本発明により必要な時に素早く取り出すことの出来るシュシュが提供される。
【図面の簡単な説明】
【００１４】
【図１】本発明による装飾具の実施の形態を示す正面図。
【図２】本発明による装飾具の実施の形態を示す背面図。
【図３】ブローチピン本体６が開く形態を示す側面図。
【図４】本発明の分解図。
【図５】ブローチピン本体６のバリエーションを示す図。
【発明を実施するための形態】
【００１５】
以下に発明の実施の形態で使用される番号・符号を用いて説明する。これらの番号・符号は、特許請求の範囲の記載と発明の実施の形態の記載との対応関係を明らかにするために付加されている。但し、付加された番号・符号は、特許請求の範囲に記載されている発明の技術的範囲の解釈に用いてはならない。
以下、添付図面を参照しながら、本発明による装飾具の実施の一形態を説明する。
【００１６】
図１に示されているように、当該装飾具はブローチ本体３とシュシュ本体１である。ゴム部２の伸縮を利用して飾り本体４にひっかける形で着脱が可能となる。
ブローチ本体３にシュシュ本体１を取り付けることによりブローチ本体３のみの場合よりも一層ゴージャスで美感に訴える状態になる。
【００１７】
図３のブローチ本体３に示されているように、基部５には飾り本体４が接続されている。飾り本体４はシュシュ本体１のゴム部２の伸縮を利用してひっかける部分となる。
【００１８】
飾り本体４に使用される素材については、基部５に取り付けられることが可能なものであれば、布・毛糸・木・皮・プラスチックなどの他に特に制限はない。
【００１９】
図４に示されているのは、シュシュをブローチから取り外した状態である。
左側はブローチ本体３、右側はシュシュ本体１である。
【００２０】
図４右側に示されているように、シュシュ本体１はゴム部２に装飾を施したものである。
【００２１】
図４左側の飾り本体４に対して、図４右側に示されているシュシュ本体１のゴム部２のゴムの長さについては、最短でも伸縮により取り外すことが可能な長さとする。長い場合はゴムを２重３重と巻いて着脱可能な範囲とする。
【００２２】
シュシュ本体１に使用される素材については、ゴム部２を装飾出来るものであれば布・毛糸・木・皮・プラスチックなどの他に特に制限はない。
【００２３】
シュシュ本体１にブローチ本体３を取り付けての使用も可能である。
【００２４】
ブローチ本体３とシュシュ本体１の素材は同素材でも異素材でも制限はない。
重ねて使用する際にブローチ本体３とシュシュ本体１の相乗により美的効果がより引き上げられるものが好ましい。
【００２５】
図３に示されているように、基部５には、更にブローチピン本体６が接合されている。ブローチピン本体６は、固定部７と針部８とを含む。針部８は、固定部７に設けられた軸７aに接続されている。
【００２６】
ブローチピン本体６により衣服やカバン・バックなどに固定される。
【００２７】
図３に示されているように、ブローチピン本体６は、基部５の反対側に向かって開く。                        
より詳細には針部８が、固定部７のフック部７ｂからはずされると、針部８が、それが有する弾性によって、軸７aを回転軸として、矢８aの方向に基部５から離れるように開く。
【００２８】
本実施の一形態では、針部８がフック部７ｂに係止されたときに針部８の先端がフック部７ｂにより覆われるように、ブローチピン本体６が使用されている。しかし、針部８がフック部７ｂに係止されても針部８の先端が露出されているピンも使用され得る。但し、安全上の観点から、ブローチピン本体６が使用されることが好ましい。
【００２９】
ブローチピン本体６のバリエーションとして図５に示される形態のピンやその他類似ピンなども使用範囲として含まれる。
【００３０】
図５左側に示されている回転式ブローチピン本体１２は、回転部１０の回転部つまみ１１を上下に回転させながらスライドさせることが出来る。回転部１０の回転部つまみ１１を上に回転させながらにスライドさせ回転部１０の内側にある溝と回転部１０の溝を合わせると針部８が係止出来る状態となる。係止後に回転部つまみ１１を下に回転させながらスライドさせて溝を塞ぐことによって針部８が外れることなく安定する。
【００３１】
図６右側のクリップ付ブローチピン本体１２はブローチピン本体６とクリップ部１３を併せ持つタイプのピンである。クリップ部１３はポケットなどに固定するほか、髪留めとしても使用出来る。
【産業上の利用可能性】
【００３２】
低コストかつ簡易な構造であるので、とても商品化しやすい。
ヘヤーアクセサリーであるシュシュがゴージャスなブローチとして使用可能になることで、よりファッション性が高まり使用頻度も広がると思われる。
例えば食事の際に胸元のブローチからさっとシュシュを手に取り髪を束ねる様子はマジックとはいわないまでも、驚きに似たおもしろさがあり女性ファッション誌などの話題などにも取り上げやすい商品であると思われる。
利便性・機能性に富んだ商品であるが、各ブランドのイメージに応じて自由に広がりがある商品化が可能である。
アクセサリー店などで販売しやすい形態なので、いずれは定番商品となる可能性が充分にあると見込まれる。
【符号の説明】
【００３３】
１：シュシュ本体
２：ゴム部
３：ブローチ本体  
４：飾り本体
５：基部
６：ブローチピン本体
７：固定部
７ａ：軸
７ｂ：フック部
８：針部
８ａ： 矢の方向
９：回転式ブローチピン本体
１０：回転部
１１：回転部つまみ
１２：溝
１３：クリップ付ブローチピン本体
１４：クリップ部
【図１】
2011019854.tif 000003
【図２】
2011019854.tif 000004
【図３】
2011019854.tif 000005
【図４】
2011019854.tif 000006
【図５】
2011019854.tif 000007
【手続補正書】
【提出日】平成21年9月24日(2009.9.24)
【手続補正１】
【補正対象書類名】特許請求の範囲
【補正対象項目名】全文
【補正方法】変更
【補正の内容】
【特許請求の範囲】
【請求項１】
基部と、前記基部に一体的に接続されたピンと、前記基部に接続された飾り本体とを備えているものに、シュシュ本体内の輪の状態のゴムにより、前記シュシュ本体を飾り本体の基部に備え付けたことを特徴とする装身具。
【請求項２】
請求項１のピンに接続された飾りに対して、輪の状態であるゴムの長さについては最短でも、伸縮により取り外すことが可能な長さ、又は長い場合はゴムを２重３重と巻いて着脱可能は範囲とする請求項１に記載の装身具。
【手続補正２】
【補正対象書類名】明細書
【補正対象項目名】０００８
【補正方法】変更
【補正の内容】
【０００８】
本発明の装身具は、基部と、前記基部に一体的に接続されたピンと、前記基部に接続された飾り本体とを備えているものに、シュシュ本体内の輪の状態のゴムにより、前記シュシュ本体を飾り本体の基部に備え付けた。